(57)【要約】【課題】  簡易な構成で、情報源で治療を受けた個人に関する医療情報を管理できる医療情報管理方法と医療情報管理プログラムと医療情報管理システムとを提供しようとする。【解決手段】  従来の治療を受けた個人に関する医療情報を管理する医療情報管理方法にかわって、情報源から医療情報を受け付ける医療情報受付工程と、情報源を特定する情報源ＩＤに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、前記特定医療情報に関連づけられた前記情報源ＩＤにより特定される情報源を前記データ検索要求元へ知らせる検索結果回答工程と、を備えるものとした。【選択図】    図１
2007048119.tif 000002
【特許請求の範囲】
【請求項１】
治療を受けた個人に関する医療情報を管理する医療情報管理方法であって、
情報源から個人の医療情報を受け付ける医療情報受付工程と、
情報源を特定する情報源ＩＤに関連づけて医療情報を医療情報データベースに蓄積する医療情報蓄積工程と、
データ検索要求元からデータ検索条件を受け付ける検索要求受付工程と、
前記医療情報データベースから前記データ検索条件を満足する医療情報である特定医療情報を抽出する医療情報検索工程と、
前記特定医療情報に関連づけられた前記情報源ＩＤにより特定される情報源に報償を支払う報償支払工程と、
を備えることを特徴とする医療情報管理方法。
【請求項２】
治療を受けた個人に関する医療情報を管理する医療情報管理方法であって、
情報源から医療情報を受け付ける医療情報受付工程と、
情報源を特定する情報源ＩＤに関連づけて医療情報を医療情報データベースに蓄積する医療情報蓄積工程と、
データ検索要求元からデータ検索条件を受け付ける検索要求受付工程と、
前記医療情報データベースから前記データ検索条件を満足する医療情報である特定医療情報を抽出する医療情報検索工程と、
前記特定医療情報に関連づけられた前記情報源ＩＤにより特定される情報源を前記データ検索要求元へ知らせる検索結果回答工程と、
を備えることを特徴とする医療情報管理方法。
【請求項３】
治療を受けた個人に関する医療情報を管理する医療情報管理方法であって、
情報源から医療情報と該医療情報を特定する医療情報ＩＤとを受け付ける医療情報受付工程と、
情報源を特定する情報源ＩＤと前記医療情報ＩＤとに関連づけて医療情報を医療情報データベースに蓄積する医療情報蓄積工程と、
データ検索要求元からデータ検索条件を受け付ける検索要求受付工程と、
前記医療情報データベースから前記データ検索条件を満足する医療情報である特定医療情報を抽出する医療情報検索工程と、
前記特定医療情報に関連づけられた前記情報源ＩＤにより特定される情報源と前記特定医療情報に関連づけられた医療情報ＩＤとを前記データ検索要求元へ知らせる検索結果回答工程と、
を備えることを特徴とする医療情報管理方法。
【請求項４】
治療を受けた個人に関する医療情報を管理する医療情報管理方法であって、
情報源から医療情報と該医療情報を特定する医療情報ＩＤとを受け付ける医療情報受付工程と、
情報源を特定する情報源ＩＤと前記医療情報ＩＤとに関連づけて医療情報を医療情報データベースに蓄積する医療情報蓄積工程と、
データ検索要求元からデータ検索条件を受け付ける検索要求受付工程と、
前記医療情報データベースから前記データ検索条件を満足する医療情報である特定医療情報を抽出する医療情報検索工程と、
前記特定医療情報に関連づけられた医療情報ＩＤを前記特定医療情報に関連づけられた前記情報源ＩＤにより特定される情報源へ知らせる検索結果通知工程と、
を備えることを特徴とする医療情報管理方法。
【請求項５】
治療を受けた個人に関する医療情報を管理する医療情報管理方法であって、
情報源から医療情報を受け付ける医療情報受付工程と、
情報源を特定する情報源ＩＤに関連づけて医療情報を医療情報データベースに蓄積する医療情報蓄積工程と、
データ検索要求元からデータ検索条件を受け付ける検索要求受付工程と、
前記医療情報データベースから前記データ検索条件を満足する医療情報である特定医療情報を抽出する医療情報検索工程と、
所定の期間の経過毎に情報源に医療情報を送ることを要求する医療情報要求工程と、
を備えることを特徴とする医療情報管理方法。
【請求項６】
治療を受けた個人に関する医療情報を管理する医療情報管理方法であって、
情報源から医療情報を受け付ける医療情報受付工程と、
情報源を特定する情報源ＩＤに関連づけて医療情報を医療情報データベースに蓄積する医療情報蓄積工程と、
データ検索要求元からデータ検索条件を受け付ける検索要求受付工程と、
前記医療情報データベースから前記データ検索条件を満足する医療情報である特定医療情報を抽出する医療情報検索工程と、
を備え、
前記医療情報データベースが同一の個人に関する治療を受けた時期の異なる複数の医療情報を有し、
前記データ検索条件が治療を受けた時期の前後関係に関する条件を含む、
ことを特徴とする医療情報管理方法。
【請求項７】
治療を受けた個人に関する医療情報を管理する医療情報管理プログラムであって、
コンピュータに、
情報源から医療情報を受け付ける医療情報受付機能と、
情報源を特定する情報源ＩＤに関連づけて医療情報を医療情報データベースに蓄積する医療情報蓄積機能と、
データ検索要求元からデータ検索条件を受け付ける検索要求受付機能と、
前記医療情報データベースから前記データ検索条件を満足する医療情報である特定医療情報を抽出する医療情報検索機能と、
前記特定医療情報に関連づけられた情報源ＩＤにより特定される情報源に報償を支払う報償支払機能と、
を実現させることを特徴とする医療情報管理プログラム。
【請求項８】
治療を受けた個人に関する医療情報を管理する医療情報管理プログラムであって、
コンピュータに
情報源から医療情報を受け付ける医療情報受付機能と、
情報源を特定する情報源ＩＤに関連づけて医療情報を医療情報データベースに蓄積する医療情報蓄積機能と、
データ検索要求元からデータ検索条件を受け付ける検索要求受付機能と、
前記医療情報データベースから前記データ検索条件を満足する医療情報である特定医療情報を抽出する医療情報検索機能と、
前記特定医療情報に関連づけられた前記情報源ＩＤにより特定される情報源を前記データ検索要求元へ知らせる検索結果回答機能と、
を実現させることを特徴とする医療情報管理プログラム。
【請求項９】
治療を受けた個人に関する医療情報を管理する医療情報管理プログラムであって、
コンピュータに、
情報源から医療情報と該医療情報を特定する医療情報ＩＤとを受け付ける医療情報受付機能と、
情報源を特定する情報源ＩＤと前記医療情報ＩＤとに関連づけて医療情報を医療情報データベースに蓄積する医療情報蓄積機能と、
データ検索要求元からデータ検索条件を受け付ける検索要求受付機能と、
前記医療情報データベースから前記データ検索条件を満足する医療情報である特定医療情報を抽出する医療情報検索機能と、
前記特定医療情報に関連づけられた前記情報源ＩＤにより特定される情報源と前記特定医療情報に関連づけられた医療情報ＩＤとを前記データ検索要求元へ知らせる検索結果回答機能と、
を実行させることを特徴とする医療情報管理プログラム。
【請求項１０】
治療を受けた個人に関する医療情報を管理する医療情報管理プログラムであって、
コンピュータに、
情報源から医療情報と該医療情報を特定する医療情報ＩＤとを受け付ける医療情報受付機能と、
情報源を特定する情報源ＩＤと前記医療情報ＩＤとに関連づけて医療情報を医療情報データベースに蓄積する医療情報蓄積機能と、
データ検索要求元からデータ検索条件を受け付ける検索要求受付機能と、
前記医療情報データベースから前記データ検索条件を満足する医療情報である特定医療情報を抽出する医療情報検索機能と、
前記特定医療情報に関連づけられた医療情報ＩＤを前記特定医療情報に関連づけられた前記情報源ＩＤにより特定される情報源へ知らせる検索結果通知機能と、
を実行させることを特徴とする医療情報管理プログラム。
【請求項１１】
情報源で治療を受ける個人に関する医療情報を管理する医療情報管理プログラムであって、
コンピュータに、
情報源から医療情報を受け付ける医療情報受付機能と、
情報源を特定する情報源ＩＤに関連づけて医療情報を医療情報データベースに蓄積する医療情報蓄積機能と、
データ検索要求元からデータ検索条件を受け付ける検索要求受付機能と、
前記医療情報データベースから前記データ検索条件を満足する医療情報である特定医療情報を抽出する医療情報検索機能と、
所定の期間の経過毎に情報源に医療情報を送ることを要求する医療情報要求機能と、
を実行させることを特徴とする医療情報管理プログラム。
【請求項１２】
情報源で治療を受ける個人に関する医療情報を管理する医療情報管理プログラムであって、
コンピュータに、
情報源から医療情報を受け付ける医療情報受付機能と、
情報源を特定する情報源ＩＤに関連づけて医療情報を医療情報データベースに蓄積する医療情報蓄積機能と、
データ検索要求元からデータ検索条件を受け付ける検索要求受付機能と、
前記医療情報データベースから前記データ検索条件を満足する医療情報である特定医療情報を抽出する医療情報検索機能と、
を実行させ、
前記医療情報データベースが同一の個人に関する治療を受けた時期の異なる複数の医療情報を有し、
前記データ検索条件が治療を受けた時期の前後関係に関する条件を含む、
ことを特徴とする医療情報管理プログラム。
【請求項１３】
治療を受けた個人に関する医療情報を管理する医療情報管理システムであって、
情報源を特定する情報源ＩＤに関連づけて医療情報を蓄積した医療情報データベースを有するシステムセンターと、
前記システムセンターへ医療情報を送る医療コンピュータと、
前記システムセンターへデータ検索条件を送るデータ検索コンピュータと、
を備え、
前記医療情報データベースから前記データ検索条件を満足する医療情報である特定医療情報を抽出したときに、前記特定医療情報に関連づけられた情報源ＩＤに特定される情報源に報償を支払う、
ことを特徴とする医療情報管理システム。
【請求項１４】
治療を受けた個人に関する医療情報を管理する医療情報管理システムであって、
情報源を特定する情報源ＩＤに関連づけて医療情報を蓄積した医療情報データベースを有するシステムセンターと、
前記システムセンターへ医療情報を送る医療コンピュータと、
前記システムセンターへデータ検索条件を送るデータ検索コンピュータと、
備え、
前記医療情報データベースから前記データ検索条件を満足する医療情報である特定医療情報を抽出したときに、前記特定医療情報に関連づけられた前記情報源ＩＤにより特定される情報源を前記データ検索要求元へ知らせる、
ことを特徴とする医療情報管理システム。
【請求項１５】
治療を受けた個人に関する医療情報を管理する医療情報管理システムであって、
情報源を特定する情報源ＩＤと該医療情報を特定する医療情報ＩＤとに関連づけて医療情報を蓄積した医療情報データベースを有するシステムセンターと、
前記システムセンターへ医療情報と前記医療情報ＩＤとを送る医療コンピュータと、
前記システムセンターへデータ検索条件を送るデータ検索コンピュータと、
を備え、
前記医療情報データベースから前記データ検索条件を満足する医療情報である特定医療情報を抽出したときに、前記特定医療情報に関連づけられた前記情報源ＩＤにより特定される情報源と前記特定医療情報に関連づけられた医療情報ＩＤとを前記データ検索要求元へ知らせる、
ことを特徴とする医療情報管理システム。
【請求項１６】
治療を受けた個人に関する医療情報を管理する医療情報管理システムであって、
情報源を特定する情報源ＩＤと該医療情報を特定する医療情報ＩＤとに関連づけて医療情報を蓄積した医療情報データベースを有するシステムセンターと、
前記システムセンターへ医療情報と前記医療情報ＩＤとを送る医療コンピュータと、
前記システムセンターへデータ検索条件を送るデータ検索コンピュータと、
を備え、
前記医療情報データベースから前記データ検索条件を満足する医療情報である特定医療情報を抽出したときに、
前記特定医療情報に関連づけられた医療情報ＩＤを前記特定医療情報に関連づけられた前記情報源ＩＤにより特定される情報源へ知らせる、
ことを特徴とする医療情報管理システム。
【請求項１７】
治療を受けた個人に関する医療情報を管理する医療情報管理システムであって、
情報源を特定する情報源ＩＤに関連づけて医療情報を蓄積した医療情報データベースを有するシステムセンターと、
前記システムセンターへ医療情報を送る医療コンピュータと、
前記システムセンターへデータ検索条件を送るデータ検索コンピュータと、
を備え、
前記システムセンターが所定の期間の経過毎に医療情報を送ることを前記医療コンピュータへ要求する、
ことを特徴とする医療情報管理システム。  
【請求項１８】
治療を受けた個人に関する医療情報を管理する医療情報管理システムであって、
情報源を特定する情報源ＩＤに関連づけて医療情報を蓄製した医療情報データベースを有するシステムセンターと、
前記システムセンターへ医療情報を送る医療コンピュータと、
前記システムセンターへデータ検索条件を送るデータ検索コンピュータと、
を備え、
前記医療情報データベースが同一の個人に関する治療を受けた時期の異なる複数の医療情報を有し、
前記データ検索条件が治療を受けた時期の前後関係に関する条件を含む、
ことを特徴とする医療情報管理システム。
【発明の詳細な説明】
【技術分野】
【０００１】
本発明は、治療を受けた個人に関する医療情報を管理する医療情報管理方法と医療情報管理プログラムと医療情報管理システムとに係る。特に、医療情報の検索の手順とその構成に特徴のある医療情報管理方法と医療情報管理プログラムと医療情報管理システムとに関する。
【背景技術】
【０００２】
個人の医療情報は、個人を特定するのに有効な場合がある。
医療情報は、個人が治療を受けた際の治療に関する医学的または歯学的な記録である。
例えば、歯科に関する治療情報は災害時の被害者の身元を特定するのに用いられる。
身元不明者の歯の状態と複数の個人の歯の治療の記録をつきあわせることにより、身元不明者を特定できる。
【０００３】
従来は、身元不明者が発見された場合、警察等がその発見状況から身元の生活地域等を絞りこんだ後で、その地域の歯科医師から該当しそうな行方不明者のカルテを集める。その次に、法歯学の専門家が、身元不明者の歯に関する情報と集めた複数のカルテとを突きあわせて、身元不明者を特定している。
従来の方法は、地域の歯科医師の自主的な協力に依存している。そのため、カルテが集まらないと、身元不明者の特定が不可能になる。
一方、カルテが集まりすぎると、法歯学の専門家の作業が膨大になる。
【０００４】
【特許文献１】特開２００３−１６７９５７
【発明の開示】
【発明が解決しようとする課題】
【０００５】
本発明は以上に述べた問題点に鑑み案出されたもので、簡易な構成で、情報源で治療を受けた個人に関する医療情報を管理できる医療情報管理方法と医療情報管理プログラムと医療情報管理システムとを提供しようとする。
【課題を解決するための手段】
【０００６】
上記目的を達成するため、本発明に係る治療を受けた個人に関する医療情報を管理する医療情報管理方法を、情報源から個人の医療情報を受け付ける医療情報受付工程と、情報源を特定する情報源ＩＤに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、前記特定医療情報に関連づけられた前記情報源ＩＤにより特定される情報源に報償を支払う報償支払工程と、を備える、ものとした。
【０００７】
上記本発明の構成により、情報源から個人の医療情報を受け付ける。前期情報源ＩＤに関連づけて医療情報を医療情報データベースに蓄積する。データ検索要求元からデータ検索条件を受け付ける。前記医療情報データベースから前記特定医療情報を抽出する。前記特定医療情報に関連づけられた前記情報源ＩＤにより特定される情報源に報償を支払う。その結果、情報源に医療情報を提供する動機を与えることをでき、医療情報データベースが充実する。
【０００８】
上記目的を達成するため、本発明に係る治療を受けた個人に関する医療情報を管理する医療情報管理方法を、情報源から医療情報を受け付ける医療情報受付工程と、情報源を特定する情報源ＩＤに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、前記特定医療情報に関連づけられた前記情報源ＩＤにより特定される情報源を前記データ検索要求元へ知らせる検索結果回答工程と、を備える、ものとした。
【０００９】
上記本発明の構成により、情報源から医療情報を受け付ける。前期情報源ＩＤに関連づけて医療情報を医療情報データベースに蓄積する。データ検索要求元からデータ検索条件を受け付ける。前記医療情報データベースから前記特定医療情報を抽出する。前記特定医療情報に関連づけられた前記情報源ＩＤにより特定される情報源を前記データ検索要求元へ知らせる。その結果、データ検索要求元は、情報源へ問い合わせることをできる。
【００１０】
上記目的を達成するため、本発明に係る治療を受けた個人に関する医療情報を管理する医療情報管理方法を、情報源から医療情報と該医療情報を特定する医療情報ＩＤとを受け付ける医療情報受付工程と、情報源を特定する情報源ＩＤと前記医療情報ＩＤとに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、前記特定医療情報に関連づけられた前記情報源ＩＤにより特定される情報源と前記特定医療情報に関連づけられた医療情報ＩＤとを前記データ検索要求元へ知らせる検索結果回答工程と、を備えるものとした。
【００１１】
上記本発明の構成により、情報源から医療情報と前記医療情報ＩＤとを受け付ける。前記情報源ＩＤと前記医療情報ＩＤとに関連づけて医療情報を医療情報データベースに蓄積する。データ検索要求元からデータ検索条件を受け付ける。前記医療情報データベースから前記特定医療情報を抽出する。前記特定医療情報に関連づけられた前記情報源ＩＤにより特定される情報源と前記特定医療情報に関連づけられた医療情報ＩＤとを前記データ検索要求元へ知らせる。その結果、データ検索要求元は、情報源へ問い合わせて、情報源から個人を特定する情報を得ることをできる。
【００１２】
上記目的を達成するため、本発明に係る治療を受けた個人に関する医療情報を管理する医療情報管理方法を、情報源から医療情報と該医療情報を特定する医療情報ＩＤとを受け付ける医療情報受付工程と、情報源を特定する情報源ＩＤと前記医療情報ＩＤとに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、前記特定医療情報に関連づけられた医療情報ＩＤを前記特定医療情報に関連づけられた前記情報源ＩＤにより特定される情報源へ知らせる検索結果通知工程と、を備えるものとした。
【００１３】
上記本発明の構成により、情報源から医療情報と前記医療情報ＩＤとを受け付ける。前記情報源ＩＤと前記医療情報ＩＤとに関連づけて医療情報を医療情報データベースに蓄積する。データ検索要求元からデータ検索条件を受け付ける。前記医療情報データベースから前記特定医療情報を抽出する。前記特定医療情報に関連づけられた医療情報ＩＤを前記特定医療情報に関連づけられた前記情報源ＩＤにより特定される情報源へ知らせる。その結果、情報源は、送った医療情報の内から抽出された特定医療情報を知ることをできる。
【００１４】
上記目的を達成するため、本発明に係る治療を受けた個人に関する医療情報を管理する医療情報管理方法を、情報源から医療情報を受け付ける医療情報受付工程と、情報源を特定する情報源ＩＤに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、所定の期間の経過毎に情報源に医療情報を送ることを要求する医療情報要求工程と、を備えるものとした。
【００１５】
上記本発明の構成により、情報源から医療情報を受け付ける。前記情報源ＩＤに関連づけて医療情報を医療情報データベースに蓄積する。データ検索要求元からデータ検索条件を受け付ける。前記医療情報データベースから前記特定医療情報を抽出する。所定の期間の経過毎に情報源に医療情報を送ることを要求する。その結果、少なくとも所定の期間の経過毎に蓄積された医療情報を含む医療情報データベースから特定医療情報を抽出できる。
【００１６】
上記目的を達成するため、本発明に係る治療を受けた個人に関する医療情報を管理する医療情報管理方法を、情報源から医療情報を受け付ける医療情報受付工程と、情報源を特定する情報源ＩＤに関連づけて医療情報を医療情報データベースに蓄積する医療情報蓄積工程と、データ検索要求元からデータ検索条件を受け付ける検索要求受付工程と、前記医療情報データベースから前記データ検索条件を満足する医療情報である特定医療情報を抽出する医療情報検索工程と、を備え、前記医療情報データベースが同一の個人に関する治療を受けた時期の異なる複数の医療情報を有し、前記データ検索条件が治療を受けた時期の前後関係に関する条件を含むものとした。
【００１７】
上記本発明の構成により、情報源から医療情報を受け付ける。前記情報源ＩＤに関連づけて医療情報を医療情報データベースに蓄積する。データ検索要求元からデータ検索条件を受け付ける。前記医療情報データベースから前記特定医療情報を抽出する。前記医療情報データベースが同一の個人に関する治療を受けた時期の異なる複数の医療情報を有し、前記データ検索条件が治療を受けた時期の前後関係に関する条件を含む。その結果、特定の治療の経過を持った医療情報を検索できる。
【００１８】
上記目的を達成するため、本発明に係る治療を受けた個人に関する医療情報を管理する医療情報管理プログラムを、コンピュータに、情報源から医療情報を受け付ける医療情報受付機能と、情報源を特定する情報源ＩＤに関連づけて医療情報を医療情報データベースに蓄積する医療情報蓄積機能と、データ検索要求元からデータ検索条件を受け付ける検索要求受付機能と、前記医療情報データベースから前記データ検索条件を満足する医療情報である特定医療情報を抽出する医療情報検索機能と、前記特定医療情報に関連づけられた情報源ＩＤにより特定される情報源に報償を支払う報償支払機能と、を実現させるものとした。
【００１９】
上記本発明の構成により、コンピュータが、情報源から医療情報を受け付け、前記情報源ＩＤに関連づけて医療情報を医療情報データベースに蓄積し、データ検索要求元からデータ検索条件を受け付け、前記医療情報データベースから前記特定医療情報を抽出し、前記特定医療情報に関連づけられた情報源ＩＤにより特定される情報源に報償を支払う。その結果、情報源に医療情報を提供する動機を与えることをでき、医療情報データベースが充実する。
【００２０】
上記目的を達成するため、本発明に係る治療を受けた個人に関する医療情報を管理する医療情報管理プログラムを、コンピュータに情報源から医療情報を受け付ける医療情報受付機能と、情報源を特定する情報源ＩＤに関連づけて医療情報を医療情報データベースに蓄積する医療情報蓄積機能と、データ検索要求元からデータ検索条件を受け付ける検索要求受付機能と、前記医療情報データベースから前記データ検索条件を満足する医療情報である特定医療情報を抽出する医療情報検索機能と、前記特定医療情報に関連づけられた前記情報源ＩＤにより特定される情報源を前記データ検索要求元へ知らせる検索結果回答機能と、を実現させるものとした。
【００２１】
上記本発明の構成により、コンピュータが、情報源から医療情報を受け付け、前記情報源ＩＤに関連づけて医療情報を医療情報データベースに蓄積し、データ検索要求元からデータ検索条件を受け付け、前記医療情報データベースから前記特定医療情報を抽出し、前記特定医療情報に関連づけられた前記情報源ＩＤにより特定される情報源を前記データ検索要求元へ知らせる。その結果、データ検索要求元は、情報源へ問い合わせることをできる。
【００２２】
上記目的を達成するため、本発明に係る治療を受けた個人に関する医療情報を管理する医療情報管理プログラムを、コンピュータに、情報源から医療情報と該医療情報を特定する医療情報ＩＤとを受け付ける医療情報受付機能と、情報源を特定する情報源ＩＤと前記医療情報ＩＤとに関連づけて医療情報を医療情報データベースに蓄積する医療情報蓄積機能と、データ検索要求元からデータ検索条件を受け付ける検索要求受付機能と、前記医療情報データベースから前記データ検索条件を満足する医療情報である特定医療情報を抽出する医療情報検索機能と、前記特定医療情報に関連づけられた前記情報源ＩＤにより特定される情報源と前記特定医療情報に関連づけられた医療情報ＩＤとを前記データ検索要求元へ知らせる検索結果回答機能と、を実行させるものとした。
【００２３】
上記本発明の構成により、コンピュータが、情報源から医療情報と前記医療情報ＩＤとを受け付け、情報源を特定する情報源ＩＤと前記医療情報ＩＤとに関連づけて医療情報を医療情報データベースに蓄積し、データ検索要求元からデータ検索条件を受け付け、前記医療情報データベースから前記特定医療情報を抽出し、前記特定医療情報に関連づけられた前記情報源ＩＤにより特定される情報源と前記特定医療情報に関連づけられた医療情報ＩＤとを前記データ検索要求元へ知らせる。その結果、データ検索要求元は、情報源へ問い合わせて、情報源から個人を特定する情報を得ることをできる。
【００２４】
上記目的を達成するため、本発明に係る治療を受けた個人に関する医療情報を管理する医療情報管理プログラムを、コンピュータに、情報源から医療情報と該医療情報を特定する医療情報ＩＤとを受け付ける医療情報受付機能と、情報源を特定する情報源ＩＤと前記医療情報ＩＤとに関連づけて医療情報を医療情報データベースに蓄積する医療情報蓄積機能と、データ検索要求元からデータ検索条件を受け付ける検索要求受付機能と、前記医療情報データベースから前記データ検索条件を満足する医療情報である特定医療情報を抽出する医療情報検索機能と、前記特定医療情報に関連づけられた医療情報ＩＤを前記特定医療情報に関連づけられた前記情報源ＩＤにより特定される情報源へ知らせる検索結果通知機能と、を実行させるものとした。
【００２５】
上記本発明の構成により、コンピュータが、情報源から医療情報と前記医療情報ＩＤとを受け付け、前記情報源ＩＤと前記医療情報ＩＤとに関連づけて医療情報を医療情報データベースに蓄積し、データ検索要求元からデータ検索条件を受け付け、前記医療情報データベースから前記特定医療情報を抽出し、前記特定医療情報に関連づけられた医療情報ＩＤを前記特定医療情報に関連づけられた前記情報源ＩＤにより特定される情報源へ知らせる。その結果、情報源は、送った医療情報の内から抽出された特定医療情報を知ることをできる。
【００２６】
上記目的を達成するため、本発明に係る治療を受けた個人に関する医療情報を管理する医療情報管理プログラムを、コンピュータに、情報源から医療情報を受け付ける医療情報受付機能と、情報源を特定する情報源ＩＤに関連づけて医療情報を医療情報データベースに蓄積する医療情報蓄積機能と、データ検索要求元からデータ検索条件を受け付ける検索要求受付機能と、前記医療情報データベースから前記データ検索条件を満足する医療情報である特定医療情報を抽出する医療情報検索機能と、所定の期間の経過毎に情報源に医療情報を送ることを要求する医療情報要求機能と、を実行させるものとした。
【００２７】
上記本発明の構成により、コンピュータが、情報源から医療情報を受け付け、前記情報源ＩＤに関連づけて医療情報を医療情報データベースに蓄積し、データ検索要求元からデータ検索条件を受け付け、前記医療情報データベースから前記特定医療情報を抽出し、所定の期間の経過毎に情報源に医療情報を送ることを要求する。その結果、少なくとも所定の期間の経過毎に蓄積された医療情報を含む医療情報データベースから特定医療情報を抽出できる。
【００２８】
上記目的を達成するため、本発明に係る治療を受けた個人に関する医療情報を管理する医療情報管理プログラムを、コンピュータに、情報源から医療情報を受け付ける医療情報受付機能と、情報源を特定する情報源ＩＤに関連づけて医療情報を医療情報データベースに蓄積する医療情報蓄積機能と、データ検索要求元からデータ検索条件を受け付ける検索要求受付機能と、前記医療情報データベースから前記データ検索条件を満足する医療情報である特定医療情報を抽出する医療情報検索機能と、を実行させ、前記医療情報データベースが同一の個人に関する治療を受けた時期の異なる複数の医療情報を有し、前記データ検索条件が治療を受けた時期の前後関係に関する条件を含む、ものとした。
【００２９】
上記本発明の構成により、コンピュータが、情報源から医療情報を受け付け、前記情報源ＩＤに関連づけて医療情報を医療情報データベースに蓄積し、データ検索要求元からデータ検索条件を受け付け、前記医療情報データベースから前記特定医療情報を抽出する。前記医療情報データベースが同一の個人に関する治療を受けた時期の異なる複数の医療情報を有し、前記データ検索条件が治療を受けた時期の前後関係に関する条件を含む。その結果、特定の治療の経過を持った医療情報を検索できる。
【００３０】
上記目的を達成するため、本発明に係る治療を受けた個人に関する医療情報を管理する医療情報管理システムを、情報源を特定する情報源ＩＤに関連づけて医療情報を蓄積した医療情報データベースを有するシステムセンターと、前記システムセンターへ医療情報を送る医療コンピュータと、前記システムセンターへデータ検索条件を送るデータ検索コンピュータと、を備え、前記医療情報データベースから前記データ検索条件を満足する医療情報である特定医療情報を抽出したときに、前記特定医療情報に関連づけられた情報源ＩＤに特定される情報源に報償を支払う、ものとした。
【００３１】
上記本発明の構成により、システムセンターが、前記情報源ＩＤに関連づけて医療情報を蓄積した医療情報データベースを有する。医療コンピュータが前記システムセンターへ医療情報を送る。データ検索コンピュータが前記システムセンターへデータ検索条件を送る。そして、前記医療情報データベースから前記特定医療情報を抽出したときに、前記特定医療情報に関連づけられた情報源ＩＤに特定される情報源に報償を支払う。その結果、情報源に医療情報を提供する動機を与えることをでき、医療情報データベースが充実する。
【００３２】
上記目的を達成するため、本発明に係る治療を受けた個人に関する医療情報を管理する医療情報管理システムを、情報源を特定する情報源ＩＤに関連づけて医療情報を蓄積した医療情報データベースを有するシステムセンターと、前記システムセンターへ医療情報を送る医療コンピュータと、前記システムセンターへデータ検索条件を送るデータ検索コンピュータと、備え、前記医療情報データベースから前記データ検索条件を満足する医療情報である特定医療情報を抽出したときに、前記特定医療情報に関連づけられた前記情報源ＩＤにより特定される情報源を前記データ検索要求元へ知らせる、ものとした。
【００３３】
上記本発明の構成により、システムセンターが前記情報源ＩＤに関連づけて医療情報を蓄積した医療情報データベースを有する。医療コンピュータが前記システムセンターへ医療情報を送る。データ検索コンピュータが前記システムセンターへデータ検索条件を送る。そして、前記医療情報データベースから前記特定医療情報を抽出したときに、前記特定医療情報に関連づけられた前記情報源ＩＤにより特定される情報源を前記データ検索要求元へ知らせる。その結果、データ検索要求元は、情報源へ問い合わせることをできる。
【００３４】
上記目的を達成するため、本発明に係る治療を受けた個人に関する医療情報を管理する医療情報管理システムを、情報源を特定する情報源ＩＤと該医療情報を特定する医療情報ＩＤとに関連づけて医療情報を蓄積した医療情報データベースを有するシステムセンターと、前記システムセンターへ医療情報と前記医療情報ＩＤとを送る医療コンピュータと、前記システムセンターへデータ検索条件を送るデータ検索コンピュータと、を備え、前記医療情報データベースから前記データ検索条件を満足する医療情報である特定医療情報を抽出したときに、前記特定医療情報に関連づけられた前記情報源ＩＤにより特定される情報源と前記特定医療情報に関連づけられた医療情報ＩＤとを前記データ検索要求元へ知らせる、ものとした。
【００３５】
上記本発明の構成により、システムセンターが前記情報源ＩＤと前記医療情報ＩＤとに関連づけて医療情報を蓄積した医療情報データベースを有する。医療コンピュータが、前記システムセンターへ医療情報と前記医療情報ＩＤとを送る。データ検索コンピュータが前記システムセンターへデータ検索条件を送る。そして、前記医療情報データベースから前記特定医療情報を抽出したときに、前記特定医療情報に関連づけられた前記情報源ＩＤにより特定される情報源と前記特定医療情報に関連づけられた医療情報ＩＤとを前記データ検索要求元へ知らせる。その結果、データ検索要求元は、情報源へ問い合わせて、情報源から個人を特定する情報を得ることをできる。
【００３６】
上記目的を達成するため、本発明に係る治療を受けた個人に関する医療情報を管理する医療情報管理システムを、情報源を特定する情報源ＩＤと該医療情報を特定する医療情報ＩＤとに関連づけて医療情報を蓄積した医療情報データベースを有するシステムセンターと、前記システムセンターへ医療情報と前記医療情報ＩＤとを送る医療コンピュータと、前記システムセンターへデータ検索条件を送るデータ検索コンピュータと、を備え、前記医療情報データベースから前記データ検索条件を満足する医療情報である特定医療情報を抽出したときに、前記特定医療情報に関連づけられた医療情報ＩＤを前記特定医療情報に関連づけられた前記情報源ＩＤにより特定される情報源へ知らせる、ものとした。
【００３７】
上記本発明の構成により、システムセンターが、前記情報源ＩＤと前記医療情報ＩＤとに関連づけて医療情報を蓄積した医療情報データベースを有する。医療コンピュータが、前記システムセンターへ医療情報と前記医療情報ＩＤとを送る。データ検索コンピュータが前記システムセンターへデータ検索条件を送る。そして、前記医療情報データベースから前記特定医療情報を抽出したときに、前記特定医療情報に関連づけられた医療情報ＩＤを前記特定医療情報に関連づけられた前記情報源ＩＤにより特定される情報源へ知らせる。その結果、情報源は、送った医療情報の内から抽出された特定医療情報を知ることをできる。
【００３８】
上記目的を達成するため、本発明に係る治療を受けた個人に関する医療情報を管理する医療情報管理システムを、情報源を特定する情報源ＩＤに関連づけて医療情報を蓄積した医療情報データベースを有するシステムセンターと、前記システムセンターへ医療情報を送る医療コンピュータと、前記システムセンターへデータ検索条件を送るデータ検索コンピュータと、を備え、前記システムセンターが所定の期間の経過毎に医療情報を送ることを前記医療コンピュータへ要求する、ものとした。
【００３９】
上記本発明の構成により、システムセンターが、前記情報源ＩＤに関連づけて医療情報を蓄積した医療情報データベースを有する。医療コンピュータが、前記システムセンターへ医療情報を送る。データ検索コンピュータが、前記システムセンターへデータ検索条件を送る。そして、前記システムセンターが所定の期間の経過毎に医療情報を送ることを前記医療コンピュータへ要求する。その結果、少なくとも所定の期間の経過毎に蓄積された医療情報を含む医療情報データベースから特定医療情報を抽出できる。
【００４０】
上記目的を達成するため、本発明に係る治療を受けた個人に関する医療情報を管理する医療情報管理システムを、情報源を特定する情報源ＩＤに関連づけて医療情報を蓄製した医療情報データベースを有するシステムセンターと、前記システムセンターへ医療情報を送る医療コンピュータと、前記システムセンターへデータ検索条件を送るデータ検索コンピュータと、を備え、前記医療情報データベースが同一の個人に関する治療を受けた時期の異なる複数の医療情報を有し、前記データ検索条件が治療を受けた時期の前後関係に関する条件を含む、ものとした。
【００４１】
上記本発明の構成により、システムセンターが、前記情報源ＩＤに関連づけて医療情報を蓄製した医療情報データベースを有する。医療コンピュータが、前記システムセンターへ医療情報を送る。データ検索コンピュータが、前記システムセンターへデータ検索条件を送る。そして、前記医療情報データベースが同一の個人に関する治療を受けた時期の異なる複数の医療情報を有し、治療を受けた時期の前後関係に関する条件を含む前記データ検索条件を元に前記医療情報データベースから特定医療情報を抽出する。その結果、特定の治療の経過を持った医療情報を検索できる。
【発明の効果】
【００４２】
以上説明したように本発明に係る治療を受けた個人に関する医療情報を管理する医療情報管理方法と医療情報管理プログラムと医療情報管理システムは、その構成により、以下の効果を有する。
情報源から個人の医療情報を受け付け、前記情報源ＩＤに関連づけて医療情報を医療情報データベースに蓄積し、データ検索要求元からデータ検索条件を受け付け、前記医療情報データベースから前記特定医療情報を抽出し、前記特定医療情報に関連づけられた前記情報源ＩＤにより特定される情報源に報償を支払う様にしたので、情報源に医療情報を提供する動機を与えることをでき、医療情報データベースが充実する。
情報源から医療情報を受け付け、前記情報源ＩＤに関連づけて医療情報を医療情報データベースに蓄積し、データ検索要求元からデータ検索条件を受け付け、前記医療情報データベースから前特定医療情報を抽出し、前記特定医療情報に関連づけられた前記情報源ＩＤにより特定される情報源を前記データ検索要求元へ知らせる様にしたので、データ検索要求元は、情報源へ問い合わせることをできる。
情報源から医療情報と前記医療情報ＩＤとを受け付け、前記情報源ＩＤと前記医療情報ＩＤとに関連づけて医療情報を医療情報データベースに蓄積し、データ検索要求元からデータ検索条件を受け付け、前記医療情報データベースから前記特定医療情報を抽出し、前記特定医療情報に関連づけられた前記情報源ＩＤにより特定される情報源と前記特定医療情報に関連づけられた医療情報ＩＤとを前記データ検索要求元へ知らせる様にしたので、データ検索要求元は、情報源へ問い合わせて、情報源から個人を特定する情報を得ることをできる。
情報源から医療情報と前記医療情報ＩＤとを受け付け、前記情報源ＩＤと前記医療情報ＩＤとに関連づけて医療情報を医療情報データベースに蓄積し、データ検索要求元からデータ検索条件を受け付け、前記医療情報データベースから前記特定医療情報を抽出し、前記特定医療情報に関連づけられた医療情報ＩＤを前記特定医療情報に関連づけられた前記情報源ＩＤにより特定される情報源へ知らせる様にしたので、情報源は、送った医療情報の内から抽出された特定医療情報を知ることをできる。
情報源から医療情報を受け付け、前記情報源ＩＤに関連づけて医療情報を医療情報データベースに蓄積し、データ検索要求元からデータ検索条件を受け付け、前記医療情報データベースから前記特定医療情報を抽出し、所定の期間の経過毎に情報源に医療情報を送ることを要求する様にしたので、少なくとも所定の期間の経過毎に蓄積された医療情報を含む医療情報データベースから特定医療情報を抽出できる。
情報源から医療情報を受け付け、前記情報源ＩＤに関連づけて医療情報を医療情報データベースに蓄積し、データ検索要求元からデータ検索条件を受け付け、前記医療情報データベースから前記特定医療情報を抽出し、前記医療情報データベースが同一の個人に関する治療を受けた時期の異なる複数の医療情報を有し、前記データ検索条件が治療を受けた時期の前後関係に関する条件を含む様にしたので、特定の治療の経過を持った医療情報を検索できる。
従って、簡易な構成で、治療を受けた個人に関する医療情報を管理できる医療情報管理方法と医療情報管理プログラムと医療情報管理システムとを提供できる。
【発明を実施するための最良の形態】
【００４３】
以下、本発明を実施するための最良の形態を、図面を参照して説明する。なお、各図において、共通する部分には同一の符号を付し、重複した説明を省略する。
【００４４】
最初に、本発明の実施形態に係る医療情報管理システムを、図を基に、説明する。
図１は、本発明の実施形態に係る医療情報管理システムの構成図である。図２は、本発明の実施形態に係る医療情報管理システムのデータ構造図である。
以下では、情報源が医院（例えば、歯科医院）である場合を例に説明する。
【００４５】
医療情報管理システムは、情報源で治療を受ける個人に関する医療情報を管理するシステムであって、システムセンター１０と医療コンピュータ３０とデータ検索コンピュータ２０と電子情報網４０とで構成される。
【００４６】
システムセンター１０は、検索エンジン１１と医療情報データベース１２とを設けられたコンピュータである。
コンピュータは、ＣＰＵと内部記憶装置と外部記憶装置と表示装置と印刷装置とを備える。例えば、ＣＰＵは、ノイマン型デジタルコンピュータである。
医療情報管理プログラムが、コンピュータにインストールされている。
外部記憶装置が医療情報データベース１２を格納する。
医療情報データベース１２は、医療情報を蓄積する。
医療情報データベース１２は、情報源を特定する情報源ＩＤに関連づけて医療情報を蓄積してもよい。
医療情報データベース１２は、情報源を特定する情報源ＩＤと医療情報を特定する医療情報ＩＤとに関連づけて医療情報を蓄積してもよい。
医療情報データベース１２は、同一の個人に関する治療を受けた時期の異なる複数の医療情報を時系列に蓄積していてもよい。
例えば、医療情報ＩＤは、情報源で作成した医療情報の基礎となったカルテの管理コードまたは管理コードに対応するコードである。カルテには、治療を受けた個人を特定できる情報が記載されている。
医療情報には、個人を直接に特定できる情報が含まれない様にすることもできる。
検索エンジン１１は、データ検索コンピュータから送られるデータ検索条件をもとに、医療情報データベースを検索し、データ検索条件を満足する複数の医療情報（特定医療情報と、呼称する。）を抽出する。
例えば、医療情報は、所定の形式の文章である。
例えば、医療情報は、カルテに記載された個人の治療に関する主要な事項を要約して列記した文章である。
例えば、医療情報は、カルテに記載された個人の治療に関する主要な事項から作成されえた文字列である。
検索エンジン１１は、データ検索条件を元に、医療情報データベース１２のなかから特定医療情報を抽出する。
例えば、検索エンジン１１は、データ検索条件を元に、あいまい検索をおこない、マッチング度の高い順に特定医療情報を抽出する。データ検索条件にある用語と同一または同義語を含む医療情報を特定医療情報として抽出する。
【００４７】
医療コンピュータ３０は、システムセンターへ医療情報を送るコンピュータである。コンピュータは、ＣＰＵと内部記憶装置と外部記憶装置と表示装置と印刷装置とを備える。例えば、ＣＰＵは、ノイマン型デジタルコンピュータである。
医療データベース３１が外部記録装置に格納される。
医療データベース３１は、電子化されたカルテ情報を含んでいる。
医療コンピュータ３０は、システムセンターへ医療情報と医療情報ＩＤとを送ってもよい。
医療コンピュータ３０は、情報源に管理される。
例えば、情報源は、医院３２またはその他団体３３である。
医院は、治療した個人の医療情報をシステムセンターへ送る。
例えば、医院は、治療した個人のカルテの情報を元に医療情報を生成し、その医療情報をシステムセンターへ送る。
例えば、医院は、治療した個人のカルテの情報を元に医療情報を生成し、その医療情報と医療情報ＩＤと医院ＩＤとをシステムセンターへ送る。
例えば、医療コンピュータ３０は治療経過を記録し治療料金を計算するコンピュータである。医院では、医者または歯科医師が医療コンピュータへ治療情報をインプットする。医療コンピュータは、インプットされた情報から医療情報を自動的に生成し、システムセンターへ送る。
また例えば、医療コンピュータは、医者が患者である個人に治療方法等を説明するのにも用いられる。
歯科医院であれば、医療コンピュータは、治療の前後の歯列の状態を画面に表示できる。
その他団体は、警察、自衛隊、軍隊、消防庁、役所、飛行会社、旅行会社、保険会社等である。その他団体は、警察官、自衛官、兵士、消防士、公務員、パイロット、旅行者、保険加入者の医療情報をシステムセンターへ送る。
例えば、医院で用いる医療コンピュータと同一のコンピュータを用いて個人の治療の記録または状態に関する情報を入力する。医療コンピュータは、インプットされた情報から医療情報を自動的に生成し、システムセンターへ送る。
【００４８】
データ検索コンピュータ２０は、システムセンターへデータ検索条件を送るコンピュータである。コンピュータは、ＣＰＵと内部記憶装置と外部記憶装置と表示装置と印刷装置とを備える。例えば、ＣＰＵは、ノイマン型デジタルコンピュータである。
データ検索コンピュータは、データ検索依頼元に備えられる。
データ検索依頼元は、都道府県単位の警視庁、県警、その他である。
警視庁、県警が身元不明者を発見すると、鑑定人に司法検屍、行政検屍、行政解剖、司法解剖を依頼する。鑑定人は、鑑定データ２１を作成する。検索をする者は、その鑑定データ２１を元に、データ検索条件を作成し、システムセンターへデータ検索条件を送る。
データ検索条件は、治療を受けた時期の前後関係に関する条件を含んでいてもよい。
図２は、本発明の実施形態に係る医療情報管理システムのデータ構造図である。
【００４９】
電子情報網４０は、システムセンター１０と医療コンピュータ３０とデータ検索コンピュータ２０とを通信可能とする情報網である。
例えば、電子情報網は、電話回線、無線回線、携帯電話網、専用線、インターネット等である。
【００５０】
医療情報管理システムは、医療情報データベースからデータ検索条件を満足する医療情報（以下、特定医療情報と呼称する。）を抽出する。
医療情報管理システムは、医療情報データベースから特定医療情報を抽出したときに、特定医療情報に関連づけられた情報源ＩＤに特定される情報源に報償を支払う。
例えば、医療情報データベースを検索したときに、検索の結果として特定医療情報を送ってきた医院の口座へ所定の金額を振り込む。
医療情報管理システムは、医療コンピュータ３０から医療情報を受け取ったときに、医療コンピュータを管理する情報源に報償を支払ってもよい。
例えば、医療情報を受け取ったときに、医院の口座へ所定の金額を振り込む。
【００５１】
医療情報管理システムは、医療情報データベースから特定医療情報を抽出したときに、特定医療情報に関連づけられた情報源ＩＤにより特定される情報源をデータ検索要求元へ知らせてもよい。
例えば、データ検索要求元は、知らされた医院に連絡をとる。医院は、所望のカルテをデータ検索要求元に提供する。そのカルテは、医療情報の基礎となったものである。
【００５２】
医療情報管理システムは、医療情報データベースから特定医療情報を抽出したときに、特定医療情報に関連づけられた情報源ＩＤにより特定される情報源と特定医療情報に関連づけられた医療情報ＩＤとをデータ検索要求元へ知らせてもよい。
例えば、データ検索要求元は、知らせられた医院に連絡をとり、医院に医療情報ＩＤを提示する。医院は、医療情報ＩＤを手がかりに所望のカルテを見つけて、データ検索要求者元にカルテをデータ検索要求元に提供する。
【００５３】
医療情報管理システムは、医療情報データベースから特定医療情報を抽出したときに、特定医療情報に関連づけられた医療情報ＩＤを特定医療情報に関連づけられた情報源ＩＤにより特定される情報源へ知らせてもよい。
例えば、医院は、医療情報ＩＤを受け取ると、医療情報ＩＤにより特定される医療情報を確認し、医療情報の元となったカルテを予め定められた組織へ送る。予め定められた組織は、特定の行政単位の警察等である。
【００５４】
システムセンターが、所定の期間の経過毎に医療情報を送ることを医療コンピュータへ要求してもよい。
例えば、所定の期間は数年（例えば、５年）である。
【００５５】
医療情報データベースが同一の個人に関する治療を受けた時期の異なる複数の医療情報を有し、治療を受けた時期の前後関係に関する条件を含むデータ検索条件を元に医療情報データベースから特定医療情報を抽出してもよい。
例えば、システムセンターは、医療情報と医療情報ＩＤとを受け取ると、医療情報データベースに既に蓄積された同一の医療情報ＩＤをもつ医療情報を削除することなく、新たな医療情報に送られた時期の情報を付加して、医療情報データベースへ蓄積する。
データ検索要求元は、医療情報の時期的な前後関係を条件とした検索条件をシステムセンターへ送る。検索エンジンは、医療情報の時期的な前後関係に着目して検索を行なう。
【００５６】
次に、本発明の第一の実施形態に係る医療情報管理プログラムを、図を基に、説明する。図３は、本発明の第一の実施形態に係る医療情報管理プログラムの機能ブロック図である。
【００５７】
医療情報管理プログラムは、コンピュータに、医療情報受付機能Ｆ５１と医療情報蓄積機能Ｆ５２と検索要求受付機能Ｆ５３と医療情報検索機能Ｆ５４と報酬支払機能Ｆ５５と検索結果回答機能Ｆ５６と医療情報要求機能Ｆ５８とを実行させるプロプラムである。
例えば、コンピュータはシステムセンターである。
【００５８】
医療情報受付機能Ｆ５１は、情報源から医療情報を受け付ける機能である。
例えば、情報源は、通常の医科医院または歯科医院である。
例えば、システムセンター１０は、電子情報網４０を経由して、医療コンピュータ３０から医療情報を受けとる。
医療情報受付機能Ｆ５１は、情報源から医療情報と医療情報を特定する医療情報ＩＤとを受け付けてもよい。
例えば、システムセンター１０は、電子情報網４０を経由して、医療コンピュータ３０から医療情報と医療情報を特定する医療情報ＩＤとを受けとる。
例えば、医療情報はカルテを基にして生成される。
例えば、医療情報ＩＤは、医院が医療情報を生成するの際に、基にしたカルテの管理番号である。
例えば、医療情報ＩＤは、医療コンピュータが治療に関する情報から生成した医療情報を特定するために自動的に生成した管理コードである。
医療コンピュータは、医療データベースを用いて、医療情報ＩＤから個人を特定することをできる。
例えば、医院は、医療情報ＩＤを用いてカルテを特定することをできる。
【００５９】
医療情報蓄積機能Ｆ５２は、情報源を特定する情報源ＩＤに関連づけて医療情報を医療情報データベースに蓄積する機能である。
例えば、システムセンター１０は、医療コンピュータから医療情報を受けとると、医療コンピュータを管理する医院に関連づけられた情報源ＩＤを確認し、その情報源ＩＤに関連づけて医療情報を医療情報データベースに蓄積する。
医療情報蓄積機能Ｆ５２は、情報源を特定する情報源ＩＤと医療情報ＩＤとに関連づけて医療情報を医療情報データベースに蓄積してもよい。
例えば、システムセンター１０は、医療コンピュータから医療情報と医療情報ＩＤとを受け取ると、医療コンピュータを管理する医院に関連づけられた情報源ＩＤを確認し、その情報源ＩＤと医療情報ＩＤに関連づけて医療情報を医療情報データベースに蓄積する。
医療情報データベースが同一の個人に関する治療を受けた時期の異なる複数の医療情報を有していてもよい。
例えば、システムセンター１０は、医療情報と医療情報ＩＤとを受け取ると、医療情報データベースに既に蓄積された同一の医療情報ＩＤをもつ医療情報を削除することなく、新たな医療情報に時期の情報を付加して、医療情報データベースへ蓄積する。
【００６０】
医療情報データベースは、地区毎に（例えば、国、地方、特定グループ）、分割管理されてもよい。
インデックスデータベースを用意して、データ検索要求元からの問いあわせに応じて、登録・参照すべき医療情報を「振り分けコード」により分割してよい。
【００６１】
検索要求受付機能Ｆ５３は、データ検索要求元２２からデータ検索条件を受け付ける機能である。
例えば、システムセンター１０は、電子情報網４０を経由して、データ検索コンピュータ２０からデータ検索条件を受け取る。
データ検索条件は、医療情報データベースから所定の条件に合致する医療情報を抽出するための条件である。
データ検索条件は、治療を受けた時期の前後関係に関する条件を含んでいてもよい。
【００６２】
医療情報検索機能Ｆ５４は、データ検索条件を基に医療情報データベース１２から特定医療情報を抽出する機能である。
例えば、システムセンター１０は、医療情報データベース１２からデータ検索条件を満足する複数の医療情報を抽出する。
【００６３】
報償支払機能Ｆ５５は、特定医療情報に関連づけられた情報源ＩＤにより特定される情報源に報償を支払う機能である。
例えば、システムセンター１０は、特定医療情報を抽出される際に、特定医療情報に関連づけられた情報源ＩＤにより特定される医院の銀行口座へ所定の金額を振り込む手続きをする。
報償支払機能Ｆ５５は、医療情報を送ってきた情報源に報償を支払ってもよい。
例えば、システムセンター１０は、医療情報を受けるときに、医療情報を送ってきた医院の銀行口座へ所定の金額を振り込む手続きをする。
【００６４】
検索結果回答機能Ｆ５６は、検索結果をデータ検索要求元へ知らせる機能である。
検索結果回答機能Ｆ５６は、特定医療情報に関連づけられた情報源ＩＤにより特定される情報源をデータ検索要求元へ知らせてもよい。例えば、システムセンター１０は、抽出された医療情報を送った医院をデータ検索要求元へ知らせる。データ検索要求元は、データ検索条件に合致した医療情報を持った医院を知ることをできる。
検索結果回答機能Ｆ５６は、医療情報に関連づけられた情報源ＩＤにより特定される情報源と特定医療情報に関連づけられた医療情報ＩＤとをデータ検索要求元へ知らせてもよい。例えば、システムセンター１０は、抽出された医療情報を送った医院とその医療情報ＩＤとをデータ検索要求元へ知らせる。データ検索要求元は、データ検索条件に合致した医療情報を持った医院と医療情報ＩＤを知ることをできる。医院は、医療情報ＩＤから医療情報を特定し、その医療情報の基礎となったカルテの情報をデータ検索要求元へ知らせる。
検索結果回答機能Ｆ５６は、特定医療情報に関連づけられた前記情報源ＩＤにより特定される情報源と医療情報とをデータ検索要求元へ知らせてもよい。例えば、システムセンター１０は、抽出された医療情報を送った医院とその医療情報とをデータ検索要求元へ知らせる。医院は、その医療情報の基礎となったカルテの情報をデータ検索要求元へ知らせる。
検索結果回答機能Ｆ５６は、特定医療情報に関連づけられた前記情報源ＩＤにより特定される情報源と特定医療情報に関連づけられた医療情報ＩＤと医療情報とをデータ検索要求元へ知らせてもよい。例えば、システムセンター１０は、抽出された医療情報を送った医院とその医療情報ＩＤと医療情報とをデータ検索要求元へ知らせる。医院は、医療情報ＩＤと医療情報とから医療情報を特定し、その医療情報の基礎となったカルテの情報をデータ検索要求元へ知らせる。
【００６５】
医療情報要求機能Ｆ５８は、所定の期間の経過毎に情報源に医療情報を送ることを要求する機能である。
例えば、システムセンター１０は、所定の期間（例えば、５年）毎に医療コンピュータに医療情報を送ることを要求する。
医療コンピュータは、要求のあった医療情報ＩＤに関する医療情報を送る。
システムセンター１０は、医療情報データベースのうちの特定の医療情報に関して、情報源に医療情報を送ることを要求しない様にしてもよい。
【００６６】
医療情報データベースは、医療情報毎にステータスコードを付加してもよい。例えば、ステータスコードは、「正常レコード」、「ヒットレコード」、「予備」、「取り消しレコード」等を記録する。
ステータスコードが「正常レコード」である場合、医療情報が正常であることを意味する。
ステータスコードが「ヒットレコード」である場合、医療情報が過去に抽出されたことを意味する。
ステータスコードが「取り消しコード」である場合、医療情報が身元不明者として特定された者の情報である、またはデータベースへの記録を拒否した者の情報である、ことを意味する。
ステータスコードが「取り消しコード」であると、システムセンター１０は、情報源にその医療情報に関連づけられた医療情報ＩＤに関する医療情報の送信を要求しない。
【００６７】
次に、本発明の第二の実施形態に係る医療情報管理プログラムを、図を基に、説明する。図４は、本発明の第二の実施形態に係る医療情報管理プログラムの機能ブロック図である。
【００６８】
医療情報管理プログラムは、コンピュータに、医療情報受付機能Ｆ５１と医療情報蓄積機能Ｆ５２と検索要求受付機能Ｆ５３と医療情報検索機能Ｆ５４と報酬支払機能Ｆ５５と検索結果通知機能Ｆ５７と医療情報要求機能Ｆ５８とを実行させるプロプラムである。
例えば、コンピュータはシステムセンターである。
医療情報受付機能Ｆ５１と医療情報蓄積機能Ｆ５２と検索要求受付機能Ｆ５３と医療情報検索機能Ｆ５４と報酬支払機能Ｆ５５と医療情報要求機能Ｆ５８との構成は、第一の実施形態に係るものと同じなので、その説明を省略する。
【００６９】
検索結果通知機能Ｆ５７は、特定医療情報に関連づけられた医療情報ＩＤを特定医療情報に関連づけられた情報源ＩＤにより特定される情報源へ知らせる機能である。
例えば、システムセンター１０は、医療情報ＩＤを医院へ知らせる。
情報源は、送った医療情報が抽出されたことを知り、医療情報ＩＤからどの医療情報が抽出されたかを知る。
情報源は、その医療情報ＩＤから医療情報を特定し、その医療情報の基となったカルテを特定できる。
その後、情報源は、定められた組織へ、カルテに記載された情報を送る。
【００７０】
次に、本発明の第三の実施形態に係る医療情報管理プログラムを、図を基に、説明する。図５は、本発明の第三の実施形態に係る医療情報管理プログラムの機能ブロック図である。
【００７１】
医療情報管理プログラムは、コンピュータに、医療情報受付機能Ｆ５１と医療情報蓄積機能Ｆ５２と検索要求受付機能Ｆ５３と医療情報検索機能Ｆ５４と報酬支払機能Ｆ５５と検索結果回答機能Ｆ５６と検索結果通知機能Ｆ５７と医療情報要求機能Ｆ５８とを実行させるプログラムである。
例えば、コンピュータはシステムセンターである。
医療情報受付機能Ｆ５１と医療情報蓄積機能Ｆ５２と検索要求受付機能Ｆ５３と医療情報検索機能Ｆ５４と報酬支払機能Ｆ５５と検索結果回答機能Ｆ５６と医療情報要求機能Ｆ５８との構成は、第一乃至第二の実施形態に係るものと同じなので、その説明を省略し、異なる点のみを説明する。
【００７２】
データ検索依頼元は、データ検索条件に合致した医療情報をもつ情報源を知ることをできる。
情報源は、データ検索依頼元の求めに応じて、医療情報の基となったカルテに記載された情報を、データ検索依頼元へ提供する。
【００７３】
次に、本発明の第一の実施形態に係る医療情報管理方法を、図を基に、説明する。
図６は、本発明の第一の実施形態に係る医療情報管理方法のフローチャート図である。
医療情報管理方法は、治療を受けた個人に関する医療情報を管理する方法であって、医療情報受付工程Ｓ６１と医療情報蓄積工程Ｄ６２と検索要求受付工程Ｓ６３と医療情報検索工程Ｓ６４と報償支払工程Ｓ６５と検索結果回答工程Ｓ６６と医療情報要求工程Ｓ６８とで構成される。
【００７４】
医療情報受付工程Ｓ６１は、情報源から医療情報を受け付ける工程である。
医療情報受付工程Ｓ６１は、情報源から医療情報と医療情報を特定する医療情報ＩＤとを受け付けてもよい。
例えば、医療情報はカルテを基にして生成される。
例えば、医療情報ＩＤは、医院が医療情報を生成するの際に、基にしたカルテの管理番号である。
例えば、医療情報ＩＤは、医療コンピュータが用いる医療情報を特定するＩＤである。
医院は、医療情報ＩＤを用いてカルテを特定することをできる。
【００７５】
医療情報蓄積工程Ｓ６２は、情報源を特定する情報源ＩＤに関連づけて医療情報を医療情報データベースに蓄積する工程である。
医療情報蓄積工程Ｓ６２は、情報源を特定する情報源ＩＤと医療情報ＩＤとに関連づけて医療情報を医療情報データベースに蓄積してもよい。
医療情報データベースが同一の個人に関する治療を受けた時期の異なる複数の医療情報を有していてもよい。
【００７６】
検索要求受付工程Ｓ６３は、データ検索要求元２２からデータ検索条件を受け付ける工程である。
データ検索条件は、医療情報データベースから所定の条件に合致する医療情報を抽出するための条件である。
データ検索条件は、治療を受けた時期の前後関係に関する条件を含んでもよい。
【００７７】
医療情報検索工程Ｓ６４は、データ検索条件を基に医療情報データベース１２から特定医療情報を抽出する工程である。
例えば、医療情報データベース１２からデータ検索条件を満足する複数の医療情報を抽出する。
【００７８】
検索結果回答工程Ｓ６６は、検索結果をデータ検索要求元へ知らせる工程である。
検索結果回答工程Ｓ６６は、特定医療情報に関連づけられた情報源ＩＤにより特定される情報源をデータ検索要求元へ知らせてもよい。例えば、抽出された医療情報を送った医院をデータ検索要求元へ知らせる。データ検索要求元は、データ検索条件に合致した医療情報を持った医院を知ることをできる。
検索結果回答機能Ｓ６６は、医療情報に関連づけられた情報源ＩＤにより特定される情報源と特定医療情報に関連づけられた医療情報ＩＤとをデータ検索要求元へ知らせてもよい。例えば、抽出された医療情報を送った医院とその医療情報ＩＤをデータ検索要求元へ知らせる。データ検索要求元は、データ検索条件に合致した医療情報を持った医院と医療情報ＩＤを知ることをできる。例えば、医院は、データ検索依頼元の依頼を受けて、医療情報ＩＤから医療情報を特定し、その医療情報の基礎となったカルテの情報をデータ検索要求元へ知らせる。
検索結果回答工程Ｓ６６は、特定医療情報に関連づけられた情報源ＩＤにより特定される情報源と医療情報とをデータ検索要求元へ知らせてもよい。例えば、抽出された医療情報を送った医院とその医療情報とをデータ検索要求元へ知らせる。医院は、データ検索依頼元の依頼を受けて、その医療情報の基礎となったカルテの情報をデータ検索要求元へ知らせる。
検索結果回答工程Ｓ６６は、特定医療情報に関連づけられた情報源ＩＤにより特定される情報源と特定医療情報に関連づけられた医療情報ＩＤと医療情報とをデータ検索要求元へ知らせてもよい。例えば、抽出された医療情報を送った医院とその医療情報ＩＤと医療情報とをデータ検索要求元へ知らせる。医院は、データ検索依頼元の依頼を受けて、医療情報ＩＤと医療情報とから医療情報を特定し、その医療情報の基礎となったカルテの情報をデータ検索要求元へ知らせる。
【００７９】
医療情報要求工程Ｓ６８は、所定の期間の経過毎に情報源に医療情報を送ることを要求する機能である。
例えば、所定の期間（例えば、５年）毎に医院に医療情報を送ることを要求する。
【００８０】
次に、本発明の第二の実施形態に係る医療情報管理方法を、図を基に、説明する。図７は、本発明の第二の実施形態に係る医療情報管理プログラムの機能ブロック図である。
【００８１】
医療情報管理方法は、治療を受けた個人に関する医療情報を管理する方法であって、医療情報受付工程Ｓ６１と医療情報蓄積工程Ｓ６２と検索要求受付工程Ｓ６３と医療情報検索工程Ｓ６４と報酬支払工程Ｓ６５と検索結果通知工程Ｓ６７と医療情報要求工程Ｓ６８とを実行させるプロプラムである。
医療情報受付工程Ｓ６１と医療情報蓄積工程Ｓ６２と検索要求受付工程Ｓ６３と医療情報検索工程Ｓ６４と報酬支払工程Ｓ６５と医療情報要求工程Ｓ６８との構成は、第一の実施形態に係るものと同じなので、その説明を省略する。
【００８２】
検索結果通知工程Ｓ６７は、特定医療情報に関連づけられた医療情報ＩＤを特定医療情報に関連づけられた情報源ＩＤにより特定される情報源へ知らせる工程である。
例えば、医療情報ＩＤを医院へ知らせる。
情報源は、送った医療情報が抽出されたことを知り、また医療情報ＩＤからどの医療情報が抽出されたかを知る。
情報源は、その医療情報ＩＤから医療情報を特定し、その医療情報の基となったカルテを特定できる。
その後、情報源は、定められた組織へ、カルテに記載された情報を送る。
【００８３】
次に、本発明の第三の実施形態に係る医療情報管理方法を、図を基に、説明する。図８は、本発明の第三の実施形態に係る医療情報管理方法のフローチャート図である。
【００８４】
医療情報管理方法は、治療を受けた個人に関する医療情報を管理する方法であって、医療情報受付工程Ｓ６１と医療情報蓄積工程Ｓ６２と検索要求受付工程Ｓ６３と医療情報検索工程Ｓ６４と報酬支払工程Ｓ６５と検索結果回答工程Ｓ６６と検索結果通知工程Ｓ６７と医療情報要求工程Ｓ６８とで構成される。
医療情報受付工程Ｓ６１と医療情報蓄積工程Ｓ６２と検索要求受付工程Ｓ６３と医療情報検索工程Ｓ６４と報酬支払工程Ｓ６５と検索結果回答工程Ｓ６６と検索結果通知工程Ｓ６７と医療情報要求工程Ｓ６８との構成は、第一乃至第二の実施形態に係るものと同じなので、その説明を省略し、異なる点のみを説明する。
【００８５】
データ検索依頼元は、データ検索条件に合致した医療情報をもつ情報源を知ることをできる。
情報源は、データ検索依頼元の求めに応じて、医療情報の基となったカルテに記載された情報を、データ検索依頼元へ提供する。
【００８６】
上述の実施形態の医療情報管理方法と医療情報管理プログラムと医療情報管理システムとを用いれば、以下の効果を発揮する。
情報源から個人の医療情報を受け付け、情報源を特定する情報源ＩＤに関連づけて医療情報を医療情報データベースに蓄積し、データ検索要求元からデータ検索条件を受け付け、データ検索条件を基に医療情報データベースから特定医療情報を抽出する様にしたので、個人を特定するのに必要な医療情報を得ることをできる。
また、情報源から医療情報と該医療情報を特定する医療情報ＩＤとを受け付け、情報源を特定する情報源ＩＤと医療情報ＩＤとに関連づけて医療情報を医療情報データベースに蓄積し、データ検索要求元からデータ検索条件を受け付け、データ検索条件を基に医療情報データベースから特定医療情報を抽出するので、個人を特定するのに必要な医療情報を得ることをできる。
また、特定医療情報に関連づけられた情報源ＩＤにより特定される情報源に報償を支払う様にしたので、情報源に医療情報を提供する動機を与えることをでき、医療情報データベースが充実する。
また、特定医療情報に関連づけられた情報源ＩＤにより特定される情報源をデータ検索要求元へ知らせる様にしたので、データ検索要求元は、情報源へ問い合わせることをできる。
また、特定医療情報に関連づけられた情報源ＩＤにより特定される情報源と特定医療情報に関連づけられた医療情報ＩＤとをデータ検索要求元へ知らせる様にしたので、データ検索要求元は、情報源へ問い合わせて、情報源から個人を特定する情報を得ることをできる。
また、特定医療情報に関連づけられた医療情報ＩＤを特定医療情報に関連づけられた情報源ＩＤにより特定される情報源へ知らせる様にしたので、情報源は、送った医療情報の内から抽出された特定医療情報を知ることをできる。
その結果、医療情報が個人を直接特定できる情報を含まなくても、間接的に個人を特定することをできる。
また、少なくとも所定の期間の経過毎に蓄積された医療情報を含む医療情報データベースから特定医療情報を抽出できる。その結果、医療情報から個人を特定する精度の高い手がかりを得られる。
また、医療情報データベースが同一の個人に関する治療を受けた時期の異なる複数の医療情報を有し、データ検索条件が治療を受けた時期の前後関係に関する条件を含む様にしたので、特定の治療の経過を持った医療情報を検索できる。その結果、医療情報から個人を特定する精度の高い手がかりを得られる。
【００８７】
本発明は以上に述べた実施形態に限られるものではなく、発明の要旨を逸脱しない範囲で各種の変更が可能である。
【図面の簡単な説明】
【００８８】
【図１】本発明の実施形態に係る医療情報管理システムの構成図である。
【図２】本発明の実施形態に係る医療情報管理システムのデータ構造図である。
【図３】本発明の第一の実施形態に係る医療情報管理プログラムの機能ブロック図である。
【図４】本発明の第二の実施形態に係る医療情報管理プログラムの機能ブロック図である。
【図５】本発明の第三の実施形態に係る医療情報管理プログラムの機能ブロック図である。
【図６】本発明の第一の実施形態に係る医療情報管理方法のフローチャート図である。
【図７】本発明の第二の実施形態に係る医療情報管理方法のフローチャート図である。
【図８】本発明の第三の実施形態に係る医療情報管理方法のフローチャート図である。
【符号の説明】
【００８９】
１０  システムセンター
１１  検索エンジン
１２  医療情報データベース
１３  医療情報
２０  データ検索コンピュータ
２１  鑑定データ
２２  データ検索要求元
３０  医療コンピュータ
３１  医療データベース
３２  情報源
３３  その他団体
４０  電子通信網  
Ｆ５１  医療情報受付機能
Ｆ５２  医療情報蓄積機能
Ｆ５３  検索要求受付機能
Ｆ５４  医療情報検索機能
Ｆ５５  報酬支払機能
Ｆ５６  検索結果回答機能
Ｆ５７  検索結果通知機能
Ｆ５８  医療情報要求機能
Ｓ６１  医療情報受付工程
Ｓ６２  医療情報蓄積工程
Ｓ６３  検索要求受付工程
Ｓ６４  医療情報検索工程
Ｓ６５  報酬支払工程
Ｓ６６  検索結果回答工程
Ｓ６７  検索結果通知工程
Ｓ６８  医療情報要求工程
【図１】
2007048119.tif 000003
【図２】
2007048119.tif 000004
【図３】
2007048119.tif 000005
【図４】
2007048119.tif 000006
【図５】
2007048119.tif 000007
【図６】
2007048119.tif 000008
【図７】
2007048119.tif 000009
【図８】
2007048119.tif 000010